(57)【要約】【課題】交換の際に遊技球がこぼれ落ちることを確実に防止することができる玉箱を提供する。【解決手段】遊技球を貯留する玉箱１は、底壁と底壁の周縁から立設された周壁とを有する箱本体２と、箱本体２に対し高さ方向にスライド自在に外挿される外周壁３と、外周壁３に対し相互に高さ方向にスライド自在に取り付けられる取手部４とを備える。外周壁３は、箱本体２の上端部よりも突出する第１の高さ位置で取手部４に係合する。さらに、取手部４は、外周壁３に当接して外周壁３を第１の高さ位置よりも突出する第２の高さ位置に押し上げる。【選択図】図１
0003143455.tif 000002
【実用新案登録請求の範囲】
【請求項１】
遊技球を貯留する玉箱であって、
底壁と該底壁の周縁から立設された周壁とを有する箱本体と、
該箱本体に対し高さ方向にスライド自在に外挿される外周壁と、
該外周壁に対し相互に高さ方向にスライド自在に取り付けられる取手部と
を備え、
前記外周壁は、前記周壁の上端部よりも突出する第１の高さ位置で該周壁または前記取手部に係合する第１係合部を有し、
前記取手部は、前記外周壁に当接して該外周壁を第１の高さ位置よりも突出する第２の高さ位置に押し上げる当接部を有することを特徴とする玉箱。
【請求項２】
請求項１記載の玉箱において、
前記取手部は、前記外周壁を前記第２の高さ位置に押し上げた状態で前記箱本体に係合する第２係合部を有することを特徴とする玉箱。
【請求項３】
請求項２記載の玉箱において、
前記外周壁および前記取手部は、前記第２の高さ位置で前記第２係合部による係合を解くことにより、初期位置に復帰することを特徴とする玉箱。
【請求項４】
請求項１乃至３のうちいずれか１項記載の玉箱において、
前記第１の高さ位置は、遊技機の皿体とその下方の載置台との間に、前記外周壁が該第１の高さ位置と成った当該玉箱が収容可能な高さ位置であって、前記第２の高さ位置は、当該玉箱が該皿体と載置台との間から解放されることにより前記外周壁を突出させることが可能となる高さ位置であることを特徴とする玉箱。
【考案の詳細な説明】
【技術分野】
【０００１】
本考案は、パチンコ機及びパチンコ玉を用いたスロットマシン等から払いだされた遊技球を貯留する玉箱に関する。
【背景技術】
【０００２】
従来、玉箱は、パチンコ遊技機の下皿に溜まった出玉を下皿から落下させて溜めて置くために用いられる。特に、パチンコ遊技機の遊技中に大当たりをしたときに、下皿から溢れる出玉を玉箱に貯留するために用いられる。
【０００３】
連続して大当たりが発生するような場合には、下皿だけでなく玉箱も出玉で溢れるため、かかる場合には、満杯となった玉箱を空の玉箱に頻繁に交換させる必要が生じる。玉箱の交換は、主にパチンコホールのホールスタッフによって行われるが、満杯状態の玉箱は、重量も大きい上、遊技球が山盛りとなっているような場合もあり得る。そのため、玉箱の交換の際に、遊技球が箱からこぼれ落ちる事態が生じていた。
【０００４】
従来、かかる遊技球のこぼれを防止するために、特許文献１に示すように、玉箱に蓋を設けたもの、特許文献２に示すように、玉箱の上端縁に接した遊技球が箱内に落下するように溝部を設けてなるものや、特許文献３に示すように、内箱の外側に外箱を設け、内箱に対して外箱を引き上げることにより収納量を増加させてなるものが提案されている。
【特許文献１】特開２００２−１４３５４６号公報
【特許文献２】特開２００１−１０４６２８号公報
【特許文献３】実開平５−７２８７号公報
【考案の開示】
【考案が解決しようとする課題】
【０００５】
しかしながら、特許文献１に示す玉箱では、こぼれ落ちを防止するためだけに蓋を準備する必要が生じて、玉箱１箱当たりの製造コストが嵩む。さらに、満杯となった玉箱に蓋をすると共に、獲得した出玉を計数するために遊技球を計数機に掛ける際には、再度、蓋を外す必要が生じて煩雑である。また、特許文献２に示す玉箱では、遊技球が山盛りとなっているような場合には、玉箱の上端縁を越えて球技球が外部にこぼれ落ちてしまう。さらに、特許文献３に示す玉箱では、外箱を引き上げた状態で遊技球を貯留してしまうと、容量が増えただけで結果として遊技球がこぼれ落ちることを防止することは困難である。
【０００６】
そこで、本考案は、交換の際に遊技球がこぼれ落ちることを確実に防止することができる玉箱を提供することを目的とする。
【課題を解決するための手段】
【０００７】
第１考案の玉箱は、遊技球を貯留する玉箱であって、底壁と該底壁の周縁から立設された周壁とを有する箱本体と、該箱本体に対し高さ方向にスライド自在に外挿される外周壁と、該外周壁に対し相互に高さ方向にスライド自在に取り付けられる取手部とを備え、前記外周壁は、前記周壁の上端部よりも突出する第１の高さ位置で該周壁または前記取手部に係合する第１係合部を有し、前記取手部は、前記外周壁に当接して該外周壁を第１の高さ位置よりも突出する第２の高さ位置に押し上げる当接部を有することを特徴とする。
【０００８】
第１考案の玉箱によれば、箱本体および取手部に対して外周壁を第１の高さ位置にスライドさせることにより周壁の上端部を突出させて、遊技球が玉箱からこぼれ落ちることを防止することができる。さらに、玉箱の交換の際には、ホールスタッフ等が取手部を把持して玉箱を持ち上げると、玉箱の自重により取手部に対して外周壁が下方にスライドする。すなわち、相対的に外周壁に対して取手部が上方にスライドし、当接部が外周壁に当接して該外周壁を第１の高さ位置から第２の高さ位置に押し上げる。これにより、第１の高さ位置で遊技球が山盛りとなっても、玉箱の交換の際には、外周壁が第２の高さ位置に押し上げられるため、遊技球がこぼれ落ちることを確実に防止することができる。
【０００９】
第２考案の玉箱によれば、第１考案の玉箱において、前記取手部は、前記外周壁を前記第２の高さ位置に押し上げた状態で前記箱本体に係合する第２係合部を有することを特徴とする。
【００１０】
第２考案の玉箱によれば、外周壁を第２の高さ位置に押上げた状態で、取手部が箱本体に係合保持される。そのため、ホールスタッフ等が取手部を把持して玉箱を持ち上げることにより、外周壁を第２の高さ位置に変位させるだけでなく、かかる第２の高さ位置に外周壁を保持することができる。これにより、玉箱を交換の際に、満杯の玉箱を積置等して手を放しても、遊技球がこぼれ落ちることを防止することができる。
【００１１】
第３考案の玉箱は、第２考案の玉箱において、前記外周壁および前記取手部は、前記第２の高さ位置で前記第２係合部による係合を解くことにより、初期位置に復帰することを特徴とする。
【００１２】
第３考案の玉箱によれば、第２係合部による係合を解くことにより、外周壁および取手部が初期位置に復帰するように構成される。そのため、交換した玉箱の遊技球を計数機に空けた後は、外周壁および取手部を初期位置に戻して保管等することができる。これにより、前記のように玉箱を交換する際に遊技球がこぼれ落ちることを防止しつつ、玉箱の交換作業を円滑に行うことができる。
【００１３】
第４考案の玉箱は、第１〜第３のいずれかの玉箱において、前記第１の高さ位置は、遊技機の皿体とその下方の載置台との間に、前記外周壁が該第１の高さ位置と成った当該玉箱が収容可能な高さ位置であって、前記第２の高さ位置は、当該玉箱が該皿体と載置台との間から解放されることにより前記外周壁を突出させることが可能となる高さ位置であることを特徴とする。
【００１４】
第４考案の玉箱によれば、外周壁が立ち上がる第１の高さは、遊技機の皿体の下方に収納可能な高さであるため、例えば遊技者が初期状態において満杯となった玉箱の容量を一時的に大きくすることができる。一方、第２の高さ位置は、遊技機の皿体に収納可能な高さよりも高いため、遊技者が玉箱を皿体の下においた状態では、第２の高さ位置に変位させることはできない。そのため、ホールスタッフ等が玉箱の交換を行うために皿体の下方から玉箱を取り出したときにのみ、外周壁を第２の高さ位置に変位させることができる。これにより、玉箱の交換の際に、遊技球が玉箱からこぼれ落ちることを確実に防止することができる。
【考案を実施するための最良の形態】
【００１５】
本考案の一実施形態としての玉箱について、図１〜図４を参照して説明する。図１は、玉箱の斜視図であり、図２は、図１の玉箱の分解図であり、図３は、玉箱の使用状態を示す部分断面図であり、図４は、図３に対応した玉箱の斜視図である。
【００１６】
図１に示すように、本実施形態の玉箱１は、主にパチンコ遊技機１００から放出される遊技球を貯留する玉箱である。パチンコ遊技機１００は、遊技盤１０１の下方に、賞球又は貸し球として払い出される遊技球を溜めるための上皿１０２が設けられ、さらに、上皿１０２の下方に、上皿１０２から排出された遊技球を溜めるための下皿１０３が設けられている。この下皿１０３の底には、玉抜き孔及び玉抜き孔を開閉する蓋体（いずれも図示省略）が設けられており、遊技球は該玉抜き孔から下皿１０３の下方に落下するようになっている。玉箱１は、下皿１０３の下方で、パチンコ遊技機１００の前面枠の下部前面に押し当てるようにして、置台１０４の上に載置して使用される。
【００１７】
なお、本実施形態では、上皿１０２と下皿１０３とを備えるパチンコ遊技機で本考案の説明をするが、本考案が適用される遊技機はこれに限定されるものではない。例えば、下皿がなく上皿の底に、玉抜き孔及び玉抜き孔を開閉する蓋体（いずれも図示省略）が設けられ、遊技球は該玉抜き孔から上皿の下方に落下するようになっている遊技機にも、本考案が適用される。なお、玉抜き孔及び玉抜き孔を開閉する蓋体（いずれも図示省略）が設けられ、該玉抜き孔から遊技球を球箱に導く構造物を、本考案では皿体と称すこととする。
【００１８】
図２に示すように、玉箱１は、箱本体２と、箱本体２に外挿される外周壁３と、外周壁３に対し相互に高さ方向にスライド自在に取り付けられた一対の取手部４と、箱本体２からの外周壁３の抜けを防止する抜止部材５とを備える。
【００１９】
箱本体２は、底壁２１と、底壁２１の周縁から立設された相対向する二対の周壁２２，２３とを有する。一対の周壁２２のそれぞれの外側面には、取手部４をスライドさせるための一対のスライド溝２４，２４が、上下方向に平行に形成されている。さらに、スライド溝２４の上側には、溝部の深さを大きくした落込部２５が設けられている。また、スライド溝２４，２４の下端を結ぶように、抜止部材５を固定する固定溝２６が形成されている。
【００２０】
外周壁３は、箱本体２の周壁２２，２３に外挿される枠体であって、周壁２２に対応する短辺部３２には、取手部４を係合させるための一対の切欠３３，３３が下端から上方に向かって平行に形成されている。また、短辺部３２の内側面の下端部には、鍔部３４が設けられており、外側面には、板バネ３５（図３参照）に設けられた球状の凸部３６（本考案の第１係合部に相当する）が外方に突出して設けられている。また、外周壁３の上端縁には、内方に傾斜した鍔部３７が全周に亘って形成されている。
【００２１】
取手部４は、取手４１と、取手４１を外周壁３の切欠３３，３３に係合させる鉤形状の係り部４２，４２（本考案の第２係合部に相当する）と、係り部４２，４２の下部を塞ぐように設けられて外周壁３の下端部に当接する当接部４３とから構成される。また、取手部４の短辺部３２に対向する部位には、凸部３６が嵌る凹部４４が形成されている。
【００２２】
抜止部材５は、外周壁３の鍔部３４に係合する爪部５１を有する抜止本体５２と、固定溝２６に嵌合して抜止本体５２を箱本体２の固定溝２６に固定する嵌合部材５３とから構成され、抜止本体５２と嵌合部材５３とは分離可能となっている。
【００２３】
次に、箱本体２と、外周壁３と、取手部４と、抜止部材５との位置関係について図２〜図４を参照して説明する。
【００２４】
外周壁３の切欠３３に取手部４の係り部４２を係合させる一方、箱本体２のスライド溝２４に取手部４の係り部４２を嵌め合させて、箱本体２が内挿されている。そして、抜止本体５２が、箱本体２の周壁２２と外周壁３の短辺部３２との間に、爪部５１を短辺部３２の内側面に臨ませて挿入されている。抜止本体５２は、嵌合部材５３を固定溝２６に嵌合させることにより、箱本体２と外周壁３との間に固定されている。
【００２５】
次に、図３（ａ）〜（ｅ）を参照して、玉箱１の作動について説明する。
【００２６】
まず、玉箱１は、図３（ａ）および図１に示すように、箱本体２に対して、外周壁３および取手部４が最下位置となっている状態が初期状態である。かかる初期状態では、箱本体２の上端と外周壁３の上端は同じ高さ位置で、載置台１０４からの高さは、例えば６ｃｍである。また、初期状態では、外周壁３に設けられた凸部３６が取手部４の凹部４４に僅かに嵌っている。
【００２７】
かかる初期状態から、外周壁３を把持して引き上げることにより、図３（ｂ）に示すように、凸部３６が取手部４の凹部４４から外れ、箱本体２および取手部４に対して、外周壁３だけが上方にスライドする。
【００２８】
そして、図３（ｃ）および図４（Ａ）に示すように、外周壁３が上方にスライドして第１の高さ位置に到達すると、凸部３６が取手部４の取手４１の上面に係合する。凸部３６が取手部４の取手４１の上面に係合すると、把持していた手を外周壁３から放しても、外周壁３は第１の高さ位置に保持される。なお、外周壁３は、第１の高さ位置からさらに引き上げても、外周壁３の鍔部３４が抜止部材５の爪部５１に押し当たり、外周壁３が脱落することはない。
【００２９】
ここで、第１の高さ位置は、パチンコ遊技機１００の下皿１０３の下方に玉箱１が収納可能な高さ位置（例えば８ｃｍ）に設計されている。そのため、パチンコ遊技機１００で遊技を行う遊技者が、出玉を下皿１０３から落下させて玉箱１に貯留する際に、一時的に玉箱１の容量を大きくすることができる。これにより、例えば、図示しないコールボタンを押して、ホールスタッフを呼び、満杯となった玉箱１を交換してもらうまでの間に、玉箱１から遊技球があふれ出すことを防止することができる。
【００３０】
さらに、外周壁３が第１の高さ位置となっている状態から、取手部４の取手４１を把持して引き上げると、スライド溝２４に沿って取手部４がスライドする。そして、取手部４の当接部４３が外周壁３の下端部に当接して、図３（ｄ）に示すように、外周壁３を第２の高さ位置に押し上げる。なお、取手部４は、外周壁が第２の高さ位置となる状態からさらに引き上げても、外周壁３の鍔部３４が抜止部材５の爪部５１に押し当たっているため、さらに上昇して外周壁３が脱落することはない。
【００３１】
そして、外周壁３が第２の高さ位置に押し上げられた状態で、取手部４を箱本体２の方向に押し付けることにより、図３（ｅ）および図４（Ｂ）に示すように、落込部２５に取手部４の係り部４２を落ち込ませて係合固定される。
【００３２】
ここで、第２の高さ位置は、パチンコ遊技機１００の下皿１０３の下方に玉箱１が収納可能な高さ位置（例えば８ｃｍ）よりも高い高さ（例えば９ｃｍ）に設計されている。そのため、パチンコ遊技機１００で遊技を行う遊技者は、下皿１０３の下方では外周壁３を第１の高さ位置に引き上げて用いるにとどまり、第２の高さ位置とすることはできない。これにより、例えば、ホールスタッフが第１の高さ位置まで満杯となった玉箱１を交換するときにのみ、外周壁３を第２の高さ位置に変位させることができ、玉箱１の交換の際に、遊技球が玉箱１からこぼれ落ちることを確実に防止することができる。さらに、外周壁は第２の高さ位置に保持されるため、満杯の玉箱１を積置等して手を放しても、遊技球がこぼれ落ちることを防止することができる。
【００３３】
次いで、満杯となった玉箱１の遊技球を計数機に空けた後は、落込部２５に係合固定された取手部４を箱本体２から離反させることにより、取手部４がスライド溝２４に沿って下降する。このとき、当接部４３で当接する外周壁３が取手部４と共に下降して、外周壁３および取手部４が初期位置に復帰する。
【００３４】
以上説明したように、本実施形態の玉箱１によれば、交換の際に、玉箱１の上端が第１の高さ位置よりも高い第２の高さ位置に変位するため、遊技球がこぼれ落ちることを確実に防止することができる。
【００３５】
尚、本実施形態の玉箱１では、凸部３６を取手部４の取手４１の上面に係合させることにより、外周壁３を第１の高さ位置に保持したが、これに限らず、球体またはそれ以外の係合機構により外周壁３を取手部４または箱本体２に係合させることにより、外周壁３を第１の高さ位置に保持するようにしてもよい。
【図面の簡単な説明】
【００３６】
【図１】本実施形態の玉箱の斜視図。
【図２】図１に示す玉箱の分解図。
【図３】図１に示す玉箱の使用状態を示す部分断面図。
【図４】図３に対応した玉箱の状態を示す斜視図
【符号の説明】
【００３７】
１…玉箱、２…箱本体、３…外周壁、４…取手部、５…抜止部材、２１…底壁、２２，２３…周壁、２４…スライド溝、２５…落込部、２６…固定溝、３２…短辺部、３３…切欠、３４…鍔部、３６…凸部（第１係合部）、４１…取手、４２…係り部（第２係合部）、４３…当接部、１００…パチンコ遊技機、１０３…下皿（皿体）、１０４…載置台。
【図１】
0003143455.tif 000003
【図２】
0003143455.tif 000004
【図３】
0003143455.tif 000005
【図４】
0003143455.tif 000006